(57)【要約】【課題】カメラを縦と横とで切替えて撮影する場合において、シャッターチャンスを逃すことなく撮影を行うことが出来る撮像装置を提供する。【解決手段】撮像装置２００は、姿勢を検知する姿勢検知回路４１と、デフォーカス量の測定の位置を示すＡＦフレーム２１３およびデフォーカス量の測定の範囲を示す測距エリア２１２とを撮像装置２００の姿勢ごとに記憶する不揮発性メモリ３８とを有し、撮像装置２００の姿勢が変化したと判定した場合には、変化より前の姿勢に対して設定された測距エリア２１２を変化した後の姿勢に対して引き継ぎ、変化した後の姿勢に対して設定されたＡＦフレーム２１３を不揮発性メモリ３８から呼出して用いる。【選択図】図４
2014126796.tif 000002
【特許請求の範囲】
【請求項１】
オートフォーカス機能を有する撮像装置であって、
前記撮像装置の姿勢を検知する姿勢検知手段と、
オートフォーカスにおいてデフォーカス量の測定の位置を示すＡＦフレームと、オートフォーカスにおいてデフォーカス量の測定の範囲を示す測距エリアとを、前記撮像装置の姿勢ごとに記憶する記憶手段と、
前記姿勢検知手段による前記撮像装置の姿勢の検知の結果に基づいて前記撮像装置の姿勢が変化したか否かを判定し、前記撮像装置の姿勢が変化したと判定した場合には、変化より前の姿勢に対して設定された測距エリアを変化した後の姿勢に対して引き継ぎ、変化した後の姿勢に対して設定されたＡＦフレームを前記記憶手段から呼出す制御手段と、
を有することを特徴とする撮像装置。
【請求項２】
前記オートフォーカス機能における測距エリアとして、使用者により任意に選択されたＡＦフレームでデフォーカス量の測定を行う任意１点測距モードと、使用者により選択されたＡＦフレームで前記任意１点測距モードより狭い範囲でデフォーカス量の測定を行うスポット測距モードと、使用者により選択されたＡＦフレームの周囲も含めてデフォーカス量の測定を行う領域拡大測距モードと、使用可能な全てのＡＦフレームを用いてデフォーカス量の測定を行う自動選択測距モードと、を備えることを特徴とする請求項１に記載の撮像装置。
【請求項３】
前記撮像装置の姿勢が変化する前の前記測距エリアを引き継ぐか否かを設定する設定手段をさらに有し、
前記制御手段は、前記設定手段による設定にしたがって、前記記憶手段から前記測距エリアを呼出すことを特徴とする請求項２に記載の撮像装置。
【請求項４】
前記制御手段は、前記姿勢検知手段により前記撮像装置の姿勢が変化したことが検知されるとともに、変化の前の姿勢に対して設定された測距エリアが前記自動選択測距モードである場合には、前記設定手段による設定に関わらず、変化の後の測距エリアに前記自動選択測距モードを用いることを特徴とする請求項３に記載の撮像装置。
【請求項５】
画像を表示できる表示手段をさらに有し、
前記設定手段は、前記測距エリアの設定の操作を使用者に促すためのＧＵＩ画面を前記表示手段に表示することを特徴とする請求項３または４に記載の撮像装置。
【請求項６】
オートフォーカス機能を有する撮像装置の制御方法であって、
オートフォーカスにおいてデフォーカス量の測定の位置を示すＡＦフレームと、オートフォーカスにおいてデフォーカス量の測定の範囲を示す測距エリアとを、前記撮像装置の姿勢ごとに記憶手段に記憶する記憶ステップと、
前記撮像装置の姿勢を検知する姿勢検知ステップと、
前記姿勢検知ステップにおける前記撮像装置の姿勢の検知の結果に基づいて前記撮像装置の姿勢が変化したか否かを判定し、前記撮像装置の姿勢が変化したと判定した場合には、変化より前の姿勢に対して設定された測距エリアを変化した後の姿勢に対して引き継ぎ、変化した後の姿勢に対して設定されたＡＦフレームを前記記憶手段から呼出す制御ステップと、
を有することを特徴とする撮像装置の制御方法。
【請求項７】
前記制御ステップよりも前に、前記撮像装置の変化の前の姿勢に対して設定された測距エリアを引き継ぐか否かを設定する設定ステップをさらに有し、
前記制御ステップにおいては、前記設定ステップにおける設定に基づいて、前記記憶手段から前記ＡＦフレームを呼出すことを特徴とする請求項６に記載の撮像装置の制御方法。
【請求項８】
前記姿勢検知ステップにおいて前記撮像装置の姿勢が変化したことが検知され、前記撮像装置の変化の前の姿勢に対して設定された測距エリアが使用可能な全てのＡＦフレームを用いてデフォーカス量の測定を行う自動選択測距モードである場合には、前記制御ステップにおいては、変化の後の姿勢に対する測距エリアの設定に関わらず、前記自動選択測距モードを用いることを特徴とする請求項７に記載の撮像装置の制御方法。
【請求項９】
画像を表示する表示手段をさらに有し、
前記設定ステップにおいては、前記表示手段に、前記測距エリアの設定の操作を使用者に促すためのＧＵＩ画面を前記表示手段に表示することを特徴とする請求項７に記載の撮像装置の制御方法。
【請求項１０】
請求項６から９のいずれか１項に記載の撮像装置の制御方法をコンピュータに実行させることを特徴とするプログラム。
【発明の詳細な説明】
【技術分野】
【０００１】
本発明は、電子スチルカメラ等の撮像装置、撮像装置の制御方法およびプログラムに関する。特にＡＦにおける測距範囲を自由に選択可能な手段を供えた撮像装置と、この撮像装置の制御方法と、この撮像装置を制御するためのプログラムに関するものである。
【背景技術】
【０００２】
従来、オートフォーカス機能を備えたカメラは、複数の測距範囲モードを備えており、ユーザーは撮影する被写体や構図に応じて、それらから所望のモードを自由に選択することが可能になっている。複数の測距範囲モードには、通常の任意選択モードに加え、様々なモードがある。たとえば、より狭い範囲で測距を行うスポット測距モード、使用者が選択していたＡＦフレームでは合焦出来なかった場合にアシストする形で測距するＡＦフレームを複数もつ領域拡大モード、カメラが自動でＡＦフレームを選ぶ自動選択モードなどがある。
また、さらに最近のカメラでは、カメラの姿勢毎に、これらの測距範囲モードを記憶しておけるものもある。これによって、縦と横を切り替えるだけで、瞬時に測距範囲モードを変更することが可能になっている。また測距範囲モードのみならず、縦横に姿勢切り替えでさまざまな設定値を変更可能にできる構成も提案されている。例えば、特許文献１には、姿勢変化時に切り替え可と判定されたら、設定値の種類に因らず、呼び出してしまう、といった方法も開示されている。
【先行技術文献】
【特許文献】
【０００３】
【特許文献１】特開２０１０−２５２２１７号公報
【発明の概要】
【発明が解決しようとする課題】
【０００４】
しかし、この測距範囲モードの中には、縦と横とで共通になっていてほしい場合が存在する。例えば、領域拡大モードやスポット測距モードがそれである。これらのモードは、選択しているＡＦフレームに対して、それより狭い範囲で測距するか、広げて測距するかを選択するものであるので、縦と横とで共通に設定したくなる場合もある。この場合には、縦と横とそれぞれ、同じように設定することになる。しかしながら、設定後すぐに撮影をしたいような状況下では、そのようなことをしていると、シャッターチャンスを逃してしまうことがある。そして、特許文献１に開示された従来技術では、このような問題を解決することが出来ない。
【０００５】
上記実情に鑑み、本発明の目的は、撮像値の姿勢を縦と横とで切替えて撮影する場合において、シャッターチャンスを逃すことなく撮影を行うことが出来る撮像装置および撮像装置の制御方法を提供することである。
【課題を解決するための手段】
【０００６】
上記問題点を解決するため、本発明は、オートフォーカス機能を有する撮像装置であって、前記撮像装置の姿勢を検知する姿勢検知手段と、オートフォーカスにおいてデフォーカス量の測定の位置を示すＡＦフレームと、オートフォーカスにおいてデフォーカス量の測定の範囲を示す測距エリアとを、前記撮像装置の姿勢ごとに記憶する記憶手段と、前記姿勢検知手段による前記撮像装置の姿勢の検知の結果に基づいて前記撮像装置の姿勢が変化したか否かを判定し、前記撮像装置の姿勢が変化したと判定した場合には、変化より前の姿勢に対して設定された測距エリアを変化した後の姿勢に対して引き継ぎ、変化した後の姿勢に対して設定されたＡＦフレームを前記記憶手段から呼出す制御手段と、
を有することを特徴とする。
【発明の効果】
【０００７】
本発明によれば、縦位置と横位置で撮像装置の姿勢を変えて撮影する場合において、迅速に測距エリアを変更することが可能となる。このため、シャッターチャンスを逃すことを防ぐことが可能になる。
【図面の簡単な説明】
【０００８】
【図１】本発明の１実施形態としての撮像装置の構成を示すブロック図である。
【図２】（ａ）、（ｂ）は、本発明の１実施形態としての撮像装置の外観図である。
【図３】（ａ）は、ＡＦフレーム選択状態を示す設定画面のイメージ図であり、（ｂ）は、測距エリア測距エリアが任意選択の時のファインダー内のイメージ図であり、（ｃ）は、測距エリア測距エリアがスポットＡＦ時のファインダー内のイメージ図であり、（ｄ）は、測距エリアが領域拡大のファインダー内のイメージ図であり、（ｅ）は、測距エリアが自動選択の時のファインダー内のイメージ図である。
【図４】カメラの姿勢を検出しながら測光や測距を行う全体的な処理の流れを示したフローチャートである。
【図５】ＡＦフレームと測距エリアを呼出す処理のフローチャートである。
【図６】ＡＦ関連設定値の姿勢切替設定を行う為のＧＵＩイメージ図である。
【図７】（ａ）は、カメラ姿勢が横位置で測距エリアが領域拡大、ＡＦフレームが中央から一つ隣のＡＦフレームの時のファインダー内のイメージ図であり、（ｂ）は、カメラ姿勢が縦位置で測距エリアが任意選択、ＡＦフレームが左端から一つ右隣のＡＦフレームの時のファインダー内のイメージ図である。
【図８】（ａ）は、撮像装置の姿勢が縦位置で測距エリアが領域拡大、ＡＦフレームが左端から一つ右隣のＡＦフレームの時のファインダー内のイメージ図であり、（ｂ）は、撮像装置の姿勢が縦位置で測距エリアが自動選択の時のファインダー内のイメージ図であり、（ｃ）は、撮像装置の姿勢が縦位置で測距エリアが領域拡大、ＡＦフレームが中央から一つ隣のＡＦフレームの時のファインダー内のイメージ図である。
【発明を実施するための形態】
【０００９】
以下に、本発明の好ましい実施の形態を、添付の図面に基づいて詳細に説明する。
図１は、本発明の一実施形態としてのオートフォーカス機能を有する撮像装置２００の構成を示すブロック図である。
レンズユニット１００には、撮像レンズ５が搭載されており、撮像装置２００の本体に対して交換可能である。撮像レンズ５は、通常、複数枚のレンズから構成されるが、図１では、簡略して、一枚の撮像レンズ５のみで示している。通信端子６は、レンズユニット１００が撮像装置２００側と通信を行う為の通信端子である。通信端子１０は、撮像装置２００がレンズユニット１００側と通信を行う為の通信端子である。レンズユニット１００は、これらの通信端子６，１０を介してマイクロコンピュータ４０と通信する。レンズユニット１００の内部のレンズシステム制御回路４は、マイクロコンピュータ４０の制御にしたがって、絞り駆動回路２を介して絞り１の制御を行う。同様にして、レンズシステム制御回路４は、ＡＦ駆動回路３を介して撮像レンズ５の位置を変位させることで焦点を合わせる。
ＡＥセンサー１５は、マイクロコンピュータ４０の制御にしたがって、レンズユニット１００を通じた被写体の輝度を測光する。
ＡＦセンサー１１は、マイクロコンピュータ４０の制御にしたがってレンズユニット１００のデフォーカス量を測定し、測定したデフォーカス量の情報をマイクロコンピュータ４０に出力する。
マイクロコンピュータ４０は、この被写体の輝度の情報とデフォーカス量の情報に基づいて、レンズユニット１００を制御する。
クイックリターンミラー１２は、露光の際に、マイクロコンピュータ４０による制御にしたがって、不図示のアクチュエータによりアップダウンされる。
使用者（撮影者）は、ペンタプリズム１４とファインダー１６を介して、フォーカシングスクリーン１３を観察することができる。これにより、使用者は、レンズユニット１００を通して得た被写体の光学像の焦点や構図の確認が可能となる。
【００１０】
フォーカルプレーンシャッター１７は、マイクロコンピュータ４０の制御にしたがって、シャッター制御回路３６により駆動される。マイクロコンピュータ４０は、シャッター制御回路３６を介してフォーカルプレーンシャッター１７を駆動することにより、撮像素子２０の露光時間を自由に制御できる。
光学フィルター１８は、たとえばローパスフィルターなどから構成され、フォーカルプレーンシャッター１７が開いている間に入ってくる光の高周波成分をカットして、撮像素子２０に被写体像を導光する。
撮像素子２０には、たとえばＣＣＤやＣＭＯＳ等が用いられる。撮像素子２０は、レンズユニット１００を通して撮像素子２０上に結像された被写体象を光電変換し、画像データとしての電気信号（アナログ信号）を出力する。
ＡＭＰ回路２１は、撮像素子２０が出力した画像データに対して、設定されている撮影感度に応じたゲインで増幅する。
Ａ／Ｄ変換回路２２は、撮像素子２０が光電変換により生成して出力した画像データを、アナログ信号からデジタル信号に変換する。
画像処理回路２３は、Ａ／Ｄ変換回路２２によってデジタル信号に変換された画像データに対して、フィルター処理、色変換処理、ガンマー／ニー処理を行う。そして、画像処理回路２３は、これらの処理を行った画像データを、メモリコントローラ２７に出力する。また、画像処理回路２３はＤ／Ａ変換回路も内蔵している。画像処理回路２３は、Ａ／Ｄ変換回路２２によってデジタル信号に変換された画像データや、メモリコントローラ２７により入力される画像データを、デジタル信号からアナログ信号に変換し、液晶駆動回路２４を介して液晶表示部２５に出力することもできる。これらの画像処理回路２３による画像処理及び表示処理は、マイクロコンピュータ４０により切り替えられる。また、マイクロコンピュータ４０は、画像データのカラーバランス情報をもとに、ホワイトバランス調整を行う。
【００１１】
液晶表示部２５は画像を表示するためのモニタである。液晶表示部２５は、たとえば、撮像装置２００の背面に設けられる。なお、画像を表示できるディスプレイであれば液晶方式に限らず、有機ＥＬなど他の方式のディスプレイであってもよい。
液晶駆動回路２４は、マイクロコンピュータ４０の制御にしたがって、液晶表示部２５を駆動する。
【００１２】
メモリコントローラ２７は、画像処理回路２３から入力された未処理の画像データをバッファメモリ２６に記憶したり、画像処理済みの画像データを記録媒体としてのメモリ２８に記憶したりする。また、メモリコントローラ２７は、バッファメモリ２６やメモリ２８から画像データを取り込んで画像処理回路２３に出力したりもする。さらに、メモリコントローラ２７は、外部インターフェース２９を介して送られてくる画像データをメモリ２８に記憶することができる。このほかにも、メモリコントローラ２７は、メモリ２８に記憶されている画像データを、外部インターフェース２９を介して外部に出力することも可能である。外部インターフェース２９としては、たとえば、ＵＳＢ、ＩＥＥＥ、ＨＤＭＩなどのインターフェースが適用できる。
メモリ２８は、メモリカードなどといった、撮像装置２００に着脱可能な記録媒体が適用される。ただし、メモリ２８は、撮像装置２００に内蔵される内蔵メモリであってもよい。
タイミング制御回路３２は、マイクロコンピュータ４０の制御に従い、撮像素子２０の駆動タイミングを制御する。
【００１３】
電源制御回路３５は、電源としてのＡＣ電源部３０または２次電池部３１より供給される電力を制御する回路である。たとえば、電源制御回路３５は、マイクロコンピュータ４０から指示を受けて、撮像装置２００の電源のオン／オフを行う。電源状態検知回路３４は、現在の電源状態を検知し、検知結果を電源制御回路３５に通知する。電源種類検知回路３３は、現在の電源の種類を検知し、検知結果を電源制御回路３５に通知する。そして、電源制御回路３５は、電源状態検知回路３４により検知された現在の電源状態の情報や、電源種類検知回路３３により検知された現在の電源の種類の情報を、マイクロコンピュータ４０に通知することも行う。
【００１４】
シャッター制御回路３６は、マイクロコンピュータ４０の制御にしたがって、フォーカルプレーンシャッター１７を制御する。
光学フィルター振動制御回路３７は、光学フィルター１８に接続されている圧電素子１９を振動させる回路である。具体的には、光学フィルター振動制御回路３７は、マイクロコンピュータ４０の指示に従い、振動の振幅、振動時間、振動の軸方向をそれぞれ所定の値で圧電素子１９を振動させる。
【００１５】
不揮発性メモリ３８は、不揮発性の記録媒体である。不揮発性メモリ３８は、撮像装置２００の電源がＯＦＦの状態でも、使用者が任意に設定したシャッター速度、絞り値、撮影感度などの設定値や、その他の各種データを記憶することができる。
揮発性メモリ３９は、撮像装置２００の内部状態や、着脱可能なメモリ２８の情報など、一時的に記憶しておきたいデータを記憶しておく。
【００１６】
操作部７０は、使用者からの操作を受け付ける入力部としての各種操作部材である。操作部７０には、少なくとも以下の操作部材が含まれる。レリーズ釦２０１、メイン電子ダイヤル２０２、サブ電子ダイヤル２０３、電源スイッチ２０４、プロテクト釦２０５、メニュー釦２０６、削除釦２０７、拡大モード釦２０８、再生指示釦２０９、ＡＦフレーム選択釦２１０、マルチコントローラ２１１。
【００１７】
マイクロコンピュータ４０は、撮像装置２００に含まれる各部を制御する制御部である。マイクロコンピュータ４０は、不揮発性メモリ３８に記録されたコンピュータプログラムを、揮発性メモリ３９をワークメモリとして用いて展開して実行する。これにより、マイクロコンピュータ４０は、後述の各種処理を実行する。
【００１８】
姿勢検知回路４１は、撮像装置２００の現在の姿勢を検出し、検出結果をマイクロコンピュータ４０に通知する。特に、姿勢検知回路４１は、少なくとも、撮像装置２００の現在の姿勢が横位置であるか縦位置であるかを検知できる。なお、撮像装置２００の横位置とは、撮像素子２０により撮像される長方形の画像の長辺が水平となる姿勢をいうものとする。また、撮像装置２００の縦位置とは、画像の長辺が垂直になる姿勢をいうものとする。
【００１９】
図２（ａ）は、撮像装置２００全体の正面側からの外観斜視図である。図２（ｂ）は、撮像装置２００全体の背面側からの外観形斜視図である。図１と共通する部分は、同じ符号で示している。
レリーズ釦２０１は、操作部７０に含まれる操作部材であって、使用者が撮影の準備指示および撮影指示を行うための釦である。レリーズ釦２０１は、半押しでＯＮになるスイッチＳＷ１と、全押しでＯＮになるスイッチＳＷ２とを有する。レリーズ釦２０１が半押しされると（スイッチＳＷ１がＯＮになると）、マイクロコンピュータ４０は、被写体の輝度の測定や合焦を行う。また、釦が全押しされると（スイッチＳＷ２がＯＮになると）、マイクロコンピュータ４０は、シャッター制御回路３６を介してフォーカルプレーンシャッター１７を制御し、画像の撮影を行う。
メイン電子ダイヤル２０２は、回転操作部材である。使用者は、このメイン電子ダイヤル２０２を回すことで、シャッター速度や絞りなどの設定値の設定や、拡大モードでの拡大倍率の微調整を行う。
サブ電子ダイヤル２０３は回転操作部材である。使用者は、このサブ電子ダイヤル２０３を回すことで、絞りや露出補正などの設定値の設定や、画像表示状態での画像の１枚送り操作などを行う。
電源スイッチ２０４は、使用者が電源のＯＮおよびＯＦＦを行うための操作部材である。
プロテクト釦２０５は、使用者が、撮像装置２００内外の記録媒体に記憶されている画像データに対して、プロテクトやレーティングといった処理を施す為の釦である。
メニュー釦２０６は、各種設定画面を液晶表示部２５に表示させる為の釦である。
削除釦２０７は、使用者が、撮像装置２００内外の記録媒体に記憶されている画像データの削除を指示するための釦である。
拡大モード釦２０８は、再生状態において、拡大モードへの遷移指示（拡大モードの開始指示）、および拡大モードを終了する指示（拡大モードの終了指示）を行う操作を受付ける釦である。
再生指示釦２０９は、撮像装置２００の内外の記録媒体に記憶されている画像データを液晶表示部２５に表示させるための釦である。
ＡＦフレーム選択釦２１０は、オートフォーカスの開始ポイントであるＡＦフレーム２１３や、オートフォーカスを行う範囲である測距エリア２１２を選択するモードに入る為の釦である。ＡＦフレーム選択釦２１０が押下されると、マイクロコンピュータ４０は、例えば、図３（ａ）に示すような設定用のＧＵＩ画面を、液晶駆動回路２４を介して液晶表示部２５に表示する。使用者は、このＡＦフレーム選択釦２１０を押下し、メイン電子ダイヤル２０２やサブ電子ダイヤル２０３を回すことで、ＡＦフレーム２１３と測距エリア２１２の選択および設定が可能となる（後述）。なお、ＡＦフレーム２１３の設定値や測距エリア２１２の設定値を、「ＡＦ関連設定値」と称する。
マルチコントローラ２１１は、オートフォーカスの開始ポイントであるＡＦフレーム２１３の設定を行ったり、拡大画像表示状態において、拡大枠（拡大している範囲）の移動を行ったりするための複数方向に操作可能な操作部材である。
マイクロコンピュータ４０は、使用者による前記各操作部材の操作を検出すると、操作部材および操作内容に応じて、前記のとおり設定や処理や各部の制御を行う。
【００２０】
ここで、ＡＦフレーム２１３および測距エリア２１２の設定について説明する。マイクロコンピュータ４０は、ＡＦフレーム選択釦２１０が押下されたことを検出すると、液晶表示部２５に、図３（ａ）に示すような設定用のＧＵＩ画面（Ｇｒａｐｈｉｃ  Ｕｓｅｒ  Ｉｎｔｅｒｆａｃｅ）を表示する。
具体的には、図３（ａ）に示すように、マイクロコンピュータ４０は、液晶駆動回路２４を介して、液晶表示部２５の上段に、使用者により選択可能な測距エリア２１２を示すアイコンを並べて表示する。そして、マイクロコンピュータ４０は、現在選択されている測距エリア２１２を示すアイコンを枠で囲む表示を行う。これにより、使用者は、現在選択されている測距エリア２１２を視認できる。
また、マイクロコンピュータ４０は、液晶表示部２５の下段に、使用者により選択可能なＡＦフレーム２１３を表示する。そして、マイクロコンピュータ４０は、使用者によりＡＦフレーム２１３を選択可能な測距エリアが選択されている場合には、選択されているＡＦフレーム２１３を強調する表示を行う。これにより使用者は、現在選択されているＡＦフレーム２１３を視認できる。なお、選択されている測距エリア２１２のアイコンおよび選択されているＡＦフレーム２１３の表示態様は、前記態様に限定されるものではない。要は、いずれの測距エリア２１２のアイコンが選択されているか、およびいずれのＡＦフレーム２１３が選択されているかを判別可能な態様であればよい。
なお、ＧＵＩ画面の表示と、ＧＵＩ画面の表示中にＡＦ関連設定値を設定するためのコンピュータプログラムは、あらかじめ不揮発性メモリ３８に格納されている。そして、マイクロコンピュータ４０は、このコンピュータプログラムを呼出して実行する。これにより、ＧＵＩ画面の表示と設定のための処理が実現する。
【００２１】
そして、マイクロコンピュータ４０は、メイン電子ダイヤル２０２の回転操作を検出すると、選択されている測距エリア２１２を順次変更するとともに、測距エリア２１２を示すアイコンを囲む枠を順次移動させる。同様に、マイクロコンピュータ４０は、サブ電子ダイヤル２０３の回転操作を検出すると、選択されているＡＦフレーム２１３を順次変更するとともに、強調する表示を行っているＡＦフレーム２１３を順次変更する。
このように、使用者は、ＧＵＩ画面を視認し、メイン電子ダイヤル２０２やサブ電子ダイヤル２０３を回すことで、ＡＦフレーム２１３と測距エリア２１２の選択、設定および確認が可能となる。特に、マイクロコンピュータ４０は、液晶表示部２５にＧＵＩ画面の表示を行う。このため、使用者は、測距エリアとＡＦフレームの選択、設定の操作および確認を、直感的に行うことができる。
なお、使用者が測距エリア２１２およびＡＦフレーム２１３の設定に用いる操作部材は、メイン電子ダイヤル２０２とサブ電子ダイヤル２０３に限定されるものではない。マイクロコンピュータ４０は、このほかの操作部材の操作を受け付ける構成であってもよい。
【００２２】
次に、撮像装置２００が有する測距エリア２１２について、図３（ｂ）〜図３（ｅ）を参照して説明する。図３（ｂ）〜図３（ｅ）は、撮像装置２００が有する測距エリアにおけるファインダー内表示の例を模式的に示す図である。撮像装置２００は、使用者により選択可能な測距エリア２１２として、「任意１点測距モード」と、「スポット測距モード」と、「領域拡大測距モード」と、「自動選択測距モード」とを有する。
「任意１点測距モード」に設定されていると、ＡＦセンサー１１は、使用者が任意に選択した１つのＡＦフレーム２１３においてデフォーカス量の測定を行う。このモードに設定されていると、図３（ｂ）に示すように、マイクロコンピュータ４０は、ファインダー内に、使用者により選択された１点のＡＦフレーム２１３を表示する。これにより使用者は、測距エリア２１２が「任意１点測距モード」に設定されていることと、選択されているＡＦフレーム２１３を視認できる。
「スポット測距モード」に設定されていると、ＡＦセンサー１１は、使用者が選択したＡＦフレーム２１３において、任意１点測距モードより狭い範囲でデフォーカス量の測定を行う。このモードにおいては、マイクロコンピュータ４０は、図３（ｃ）に示すように、ファインダー内に、使用者により選択されたＡＦフレーム２１３の枠（ＡＦフレーム２１３は四角形の枠状に表示される）の内側に、小さい枠２１４を表示する。これにより使用者は、測距エリア２１２が「スポット測距モード」に設定されていることと、選択されているＡＦフレーム２１３を視認できる。
「領域拡大測距モード」に設定されていると、ＡＦセンサー１１は、使用者が選択したＡＦフレーム２１３とその周囲のＡＦフレーム２１３とでデフォーカス量の測定を行う。このモードに設定されていると、マイクロコンピュータ４０は、図３（ｄ）に示すように、使用者により選択されたＡＦフレーム２１３を表示するとともに、このＡＦフレーム２１３の周囲に複数の枠２１５を表示する。これにより、使用者は、測距エリア２１２が「領域拡大測距モード」に設定されていることと、選択されているＡＦフレーム２１３を視認できる。
「自動選択測距モード」に設定されていると、ＡＦセンサー１１は、使用可能なＡＦフレーム２１３から自動的に１つまたは複数のＡＦフレーム２１３を選択し、選択したＡＦフレーム２１３においてデフォーカス量の測定を行う。「自動選択測距モード」に設定されていると、マイクロコンピュータ４０は、図３（ｅ）に示すように、使用可能なＡＦフレーム２１３の全部を囲むような枠２１６を表示する。これにより、使用者は、測距エリア２１２が「自動選択測距モード」に設定されていることを視認できる。
【００２３】
撮像装置２００を前記各モードで動作させるためのコンピュータプログラムは、あらかじめ不揮発性メモリ３８に格納されている。そして、マイクロコンピュータ４０は、使用者による設定に応じてこれらのプログラムを呼出して実行する。これにより、前記各モードの動作が実現する。
【００２４】
なお、本実施形態において、デフォーカス量の測定の方法は特に限定されるものではない。このため、前記の「測距エリア」「測距モード」の語句における「測距」とは、「デフォーカス量の測定」を指し、必ずしも「被写体までの距離の測定」を指すものではない。マイクロコンピュータ４０は、被写体までの距離を測定しない方法によって、デフォーカス量の測定を行ってもよい。
【００２５】
使用者は、撮像装置２００を用いて実際に撮影を行うに先立ち、それぞれの測距エリア２１２におけるＡＦ関連設定値を設定する操作を行う。使用者は、撮像装置２００の各姿勢（縦位置と横位置）のそれぞれについて、ＡＦフレーム２１３と測距エリア２１２を設定することができる。マイクロコンピュータ４０は、使用者によるＡＦフレーム２１３と測距エリア２１２の設定を別個独立して不揮発性メモリ３８に記憶する。また、マイクロコンピュータ４０は、ＡＦフレーム２１３と測距エリア２１２の設定を、撮像装置２００の姿勢ごとに個別に不揮発性メモリ３８に記憶する。マイクロコンピュータ４０は、不揮発性メモリ３８に記憶されたこれらのＡＦフレーム２１３と測距エリア２１２とを個別に呼出すことができる。
【００２６】
以下、図４〜図８を参照して、本発明の実施形態にかかる、撮像装置２００の姿勢を縦位置と横位置とで切り替えた場合に測距エリアを変更するための制御方法について説明する。
【００２７】
まず、図４を参照して、撮像装置２００の姿勢を検出しながら測光やデフォーカス量の測定を行う全体的な処理について説明する。図４は、撮像装置２００の姿勢を検出しながら測光やデフォーカス量の測定を行う全体的な処理の流れを示したフローチャートである。この処理を実行するためのコンピュータプログラムは、あらかじめ撮像装置２００の不揮発性メモリ３８に記憶されている。そして、マイクロコンピュータ４０は、このコンピュータプログラムを不揮発性メモリ３８から呼出し、揮発性メモリ３９をワークメモリとして展開して実行する。これにより、この処理が実現する。
ステップＳ４０１では、マイクロコンピュータ４０は、撮像装置２００の電源がＯｎ状態か否かを判定する。電源Ｏｎ状態であればステップＳ４０２に進み、電源Ｏｎ状態でなければこの処理を終了する。
ステップＳ４０２では、マイクロコンピュータ４０は、撮像装置２００の姿勢が横位置である場合の測距エリア２１２を、不揮発性メモリ３８から呼出す。横位置である場合の測距エリア２１２は、あらかじめ不揮発性メモリ３８に記憶されている。
ステップＳ４０３では、マイクロコンピュータ４０は、撮像装置２００の姿勢が横位置である場合のＡＦフレーム２１３を、不揮発性メモリ３８から呼出す。横位置である場合の測距エリア２１２は、あらかじめ不揮発性メモリ３８に記憶されている。
ステップＳ４０４では、マイクロコンピュータ４０は、姿勢検知回路４１を制御し、撮像装置２００の姿勢を検知する。
ステップＳ４０５では、マイクロコンピュータ４０は、ステップＳ４０４において検出された現在の撮像装置２００の姿勢と現在の設定から、ＡＦ関連設定値である、ＡＦフレーム２１３と測距エリア２１２を呼出す処理を行う。この処理については、後に詳述する。
ステップＳ４０６では、マイクロコンピュータ４０は、レリーズ釦２０１が半押しされてスイッチＳＷ１がＯＮになったか否かの判定を行う。スイッチＳＷ１がＯＮになった場合にステップＳ４０７に進み、スイッチＳＷ１がＯＮになっていなかった場合にはステップＳ４０１に進む。
ステップＳ４０７では、マイクロコンピュータ４０は、ＡＥセンサー１５より得られる被写体輝度を元に、適正露出となるようにＴｖ値、Ａｖ値、ＩＳＯ値を決定する（ＡＥ処理）。
ステップＳ４０８では、マイクロコンピュータ４０は、ＡＦセンサー１１より得られるデフォーカス量情報を元に、レンズユニット１００を制御し、ピントを合わせる（ＡＦ処理）。これにより、オートフォーカス機能が実現する。
以上が、全体的な処理である。
【００２８】
次に図５と図６を用いて、ＡＦフレーム２１３と測距エリア２１２を呼出す処理（図４のステップＳ４０５）について詳しく説明する。図５は、ＡＦフレーム２１３と測距エリア２１２を呼出す処理の内容を示すフローチャートである。図６は、ＡＦ関連設定値の姿勢切替設定を行う為のＧＵＩを模式的に示す図である。
【００２９】
まずステップＳ５０１で、マイクロコンピュータ４０は、姿勢検知回路４１による検知結果に基づいて、撮像装置２００の姿勢に変化があったか否か判定する。変化があればステップＳ５０２に進み、変化が無ければこの処理を終了する。
ステップＳ５０２では、マイクロコンピュータ４０は、ＡＦ関連設定値の姿勢切替設定が有効か否かの判定を行う。有効であればステップＳ５０３に進み、有効でなければこの処理を終了する。
【００３０】
ここで、ＡＦ関連設定値の姿勢切替設定について説明する。ＡＦ関連設定値の姿勢切替設定とは、撮像装置２００の姿勢が横位置から縦位置に変化した場合、縦位置でのＡＦ処理に、横位置におけるＡＦ関連設定値を引き継ぐか否かの設定である。
本実施形態においては、引き継ぐ対象となるＡＦ関連設定として、ＡＦフレーム２１３と測距エリア２１２の２つが適用される。
ＡＦ関連設定値の姿勢切替設定において、マイクロコンピュータ４０は、液晶駆動回路２４を介して、液晶表示部２５に、図６に示すようなＧＵＩ設定画面を表示する。具体的には、たとえば、図６に示すように、マイクロコンピュータ４０は、液晶駆動回路２４を介して、液晶表示部２５に、「０：しない」「１：位置／エリアの両方別々に呼び出し」「２：位置のみ別々に呼び出し」の選択肢を表示する。使用者は、この表示画面を視認しながら、操作部７０を用いて、ＡＦ関連設定値の姿勢切替設定の操作を行う。そして、マイクロコンピュータ４０は、使用者による操作部７０の操作に応じて、ＡＦ関連設定値の姿勢切替設定を、前記３つのうちのいずれかに設定する。各設定の内容は、次のとおりである。
【００３１】
「０：しない」に設定されると、撮像装置２００の姿勢が変化しても、マイクロコンピュータ４０は、姿勢の変化後のＡＦ関連設定値として、姿勢の変化前のＡＦ関連設定値を引き継ぐ。例えば、撮像装置２００の姿勢が横位置から縦位置に変化しても、マイクロコンピュータ４０は、横位置（変化前の姿勢）用のＡＦフレーム２１３および測距エリア２１２の設定値を引き継ぐ。したがってこの場合には、マイクロコンピュータ４０は、縦位置でのＡＦ処理を、横位置のＡＦ関連設定値を用いて行う。
【００３２】
「１：位置／エリアの両方別々に呼び出し」に設定されると、撮像装置２００の姿勢が変化すると、マイクロコンピュータ４０は、ＡＦフレーム２１３と測距エリア２１２の両方の設定を、姿勢ごとに個別に呼び出して用いる。例えば、撮像装置２００が横位置から縦位置に変化した場合には、マイクロコンピュータ４０は、縦位置用に設定されたＡＦフレーム２１３と測距エリア２１２の両方の設定を呼出す。そして、マイクロコンピュータ４０は、縦位置におけるＡＦ処理を、縦位置のＡＦ関連設定値を用いて行う。
【００３３】
「２：位置のみ別々に呼出し」に設定されると、撮像装置２００の姿勢が変化すると、マイクロコンピュータ４０は、ＡＦフレーム２１３については変化後の姿勢用の設定値を呼出すが、測距エリア２１２に関しては、変化前の姿勢用の設定値を引き継ぐ。たとえば、撮像装置２００が横位置から縦位置に変化すると、マイクロコンピュータ４０は、測距エリア２１２については縦位置用の設定を呼出さずに横位置用の設定を引き継ぐ。一方、マイクロコンピュータ４０は、縦位置用のＡＦフレーム２１３の設定を呼出す。
【００３４】
使用者は、液晶表示部２５に表示されるＧＵＩ画面（図６）を視認しながら、操作部材を用いて、前記ＡＦ関連設定値の姿勢切替設定の操作を行う。マイクロコンピュータ４０は、図６に示すＧＵＩ表示を行っている間に操作部材の操作を検出すると、操作部材の操作に応じて、前記ＡＦ関連設定値の姿勢切替設定を、前記「０〜２」の３種類のいずれかに設定する。そして、マイクロコンピュータ４０は、設定された内容を、不揮発性メモリ３８に記憶する。なお、この設定および記憶は、ＡＦ処理よりも前にあらかじめ行われているものとする。
【００３５】
姿勢切替設定において「０：切替をしない」に設定されていなければ、ステップＳ４０２において、マイクロコンピュータ４０は、ＡＦ関連設定値の姿勢切替設定は有効であると判定する。
【００３６】
ステップＳ５０３では、マイクロコンピュータ４０は、不揮発性メモリ３８に記憶されている現在の姿勢の測距エリア２１２（現在の姿勢が横位置であれば、横位置用に設定された測距エリア２１２）が、自動選択測距モードか否か判定する。自動選択測距モードであればステップＳ５０６に進み、自動選択測距モードでなければステップＳ５０４に進む。
ステップＳ５０４では、マイクロコンピュータ４０は、現在の姿勢に対応するＡＦフレーム２１３を、不揮発性メモリ３８から呼出す。
ステップＳ５０５では、マイクロコンピュータ４０は、ＡＦ関連設定値の姿勢切替設定が、測距エリア２１２を引き継ぐ設定になっているか否かを判定する。すなわち、マイクロコンピュータ４０は、ＡＦ関連設定値の姿勢切替設定が、「１：位置／エリアの両方別々に呼出し」と「２：位置のみ別々に呼出し」のいずれに設定されているか否かを判定する。測距エリア２１２を引き継ぐ設定（「２：位置のみ別々に呼出し」）になっている場合は、この処理を終了する。測距エリア２１２を引き継ぐ設定になっていない場合（「１：位置／エリアの両方別々に呼び出し」に設定されている場合）は、ステップＳ５０６に進む。
【００３７】
ステップＳ５０６では、マイクロコンピュータ４０は、現在の姿勢に対応する測距エリア２１２を、不揮発性メモリ３８から呼出す。ステップＳ５０６においては、たとえ測距エリア２１２を引き継ぐ設定であったとしても、マイクロコンピュータ４０は、自動選択測距モードを呼出すことになる。ある姿勢用の測距エリア２１２が自動選択測距モードに設定されているということは、当該ある姿勢においては、使用者は、いずれのＡＦフレーム２１３で合焦させるかより、合焦は完全に撮像装置２００に任せ、構図に専念したいという意思が推測される。そこで、ステップＳ５０６においては、測距エリア２１２が自動選択測距モードに設定されている場合には、マイクロコンピュータ４０は、測距エリア２１２を引き継ぐ設定に関わらずに、自動選択測距モードを呼出す。
【００３８】
次に図７と図８を用いて、マイクロコンピュータ４０が、図４と図５で示す処理において呼出したＡＦフレーム２１３と測距エリア２１２を、ファインダー内表示でどのように変化させるかについて、具体例を示して説明する。
ここでは、横位置については、測距エリア２１２が領域拡大測距モードに設定されおり、測距に用いるＡＦフレーム２１３として中央から１つ左隣のＡＦフレーム２１３が選択されているものとする。また、縦位置については、縦位置用の測距エリア２１２が任意１点測距モードに設定され、測距に用いるＡＦフレーム２１３として、左端一つ右隣のＡＦフレーム２１３が設定されているものとする。
図７（ａ）は、横位置用の測距エリア２１２が領域拡大測距モードに設定されおり、デフォーカス量の測定に用いるＡＦフレーム２１３として中央から１つ左隣のＡＦフレーム２１３が選択されている場合のファインダー内表示の例を示す。このような設定の場合には、図７（ａ）に示すように、マイクロコンピュータ４０は、ファインダー内に、中央から１つ左隣のＡＦフレーム２１３を示す枠を表示するとともに、この枠の周囲に小さい枠２１５を表示する。
図７（ｂ）は、縦位置用の測距エリア２１２が任意１点測距モードに設定され、デフォーカス量の測定に用いるＡＦフレーム２１３として、左端一つ右隣のＡＦフレーム２１３が設定されている場合のファインダー内表示の例を示す。このような設定の場合には、マイクロコンピュータ４０は、ファインダー内に、左端から１つ右隣のＡＦフレーム２１３を示す枠を表示する。
【００３９】
ＡＦ関連設定値の姿勢切替設定が、「１：位置／エリアの両方別々に呼出し」に設定されている場合のファインダー内表示の変化は次のとおりである。
撮像装置２００の姿勢が横位置から縦位置に変化すると、マイクロコンピュータ４０は、図４のステップＳ４０５において、縦位置用に設定して記憶したＡＦフレーム２１３を呼出す。そして、図４のステップＳ４０６において、マイクロコンピュータ４０は、縦位置用に設定して記憶した測距エリア２１２を呼出す。このため、この場合には、マイクロコンピュータ４０は、ファインダー内の表示を、図７（ａ）に示す表示から図７（ｂ）に示す表示に変更する。
【００４０】
ＡＦ関連設定値の姿勢切替設定が「２：位置のみ別々に呼出し」に設定されている場合のファインダー内表示の変化は次のとおりである。
撮像装置２００の姿勢が横位置から縦位置に変化すると、図４のステップＳ４０５において、マイクロコンピュータ４０は、縦位置用に設定して記憶したＡＦフレーム２１３を呼出す。この場合には、マイクロコンピュータ４０は、測距エリア２１２として、横位置の測距エリア２１２、すなわち、領域拡大測距モードを引き継ぐ。このため、この場合には、マイクロコンピュータ４０は、ファインダー内の表示を、図７（ａ）に示す表示から図８（ａ）に示す表示に変更する。この例では、撮像装置２００が縦位置に変化すると、マイクロコンピュータ４０は、ファインダー内に表示するＡＦフレーム２１３（デフォーカス量の測定に用いるＡＦフレーム２１３）を、中央の一つ左隣のＡＦフレーム２１３から、左端の１つ右隣のＡＦフレーム２１３に変更する。ただし、マイクロコンピュータ４０は、測距エリア２１２を引き継ぐため、変更したＡＦフレーム２１３の周囲に、小さい枠を表示する。
【００４１】
ＡＦ関連設定値の姿勢切替設定が、「０：しない」以外の設定になっており、かつ、縦位置の測距エリア２１２が自動選択測距モードに設定されている場合は、つぎのとおりである。
撮像装置２００の姿勢が横位置から縦位置に変化すると、マイクロコンピュータ４０は、ステップＳ５０４において、縦位置用の測距エリア２１２（自動選択測距モード）を呼出す。このため、この場合には、マイクロコンピュータ４０は、ファインダー内の表示を、図６（ａ）に示す表示から図７（ｂ）に示す表示に変更する。具体的には、マイクロコンピュータ４０は、ファインダー内に、測距エリア２１２が自動選択測距モードに設定されていることを示す枠２１６を表示する。
【００４２】
ＡＦ関連設定値の姿勢切替設定が、「０：しない」に設定されている場合のファインダー内表示の変化は、次のとおりである。
撮像装置２００の姿勢が横位置から縦位置に変化しても、マイクロコンピュータ４０は、縦位置用に記憶されているＡＦフレーム２１３、縦位置用に記憶されている測距エリア２１２共に呼出すことはない。すなわちこの場合には、マイクロコンピュータ４０は、ステップＳ４０２で呼出した横位置の測距エリア２１２と、ステップＳ４０３で呼出した横位置のＡＦフレーム２１３を、そのまま使用する。このため、ファインダー内の表示は、図８（ｃ）に示すようにする。図８（ｃ）は、図７（ａ）の向きが変化したのみであり、表示内容は同じである。
【００４３】
以上のように制御することで、撮像装置２００の姿勢を変えた場合であっても、設定によっては姿勢を変える前の測距エリア２１２を引き継ぐことが可能となる。このような構成に要れば、姿勢毎に設定をする煩わしさが無くなる。したがって、シャッターチャンスを逃す確率が低くなる。
また、逆に設定よっては、縦と横の姿勢を変える度にそれぞれ登録しておいた測距エリア２１２を呼出すことも出来る。したがって、より多様化するユーザーの撮影の方法に対応することも可能となる。
【００４４】
以上、本発明の好ましい実施形態について説明したが、本発明はこれらの実施形態に限定されず、その要旨の範囲内で種々の変形及び変更が可能である。
【００４５】
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを呼出して実行する処理である。この場合、そのプログラム、及び該プログラムを記憶した記憶媒体は本発明を構成することになる。
【産業上の利用可能性】
【００４６】
本発明は、撮像装置及び撮像装置の制御方法に有効である。そして、本発明によれば、縦と横で撮像装置の姿勢を変えて撮影する場合において、迅速に測距エリアの変更を可能にし、シャッターチャンスを逃すことを防ぐことが可能になる。
【符号の説明】
【００４７】
１：絞り、２：絞り駆動回路、３：ＡＦ駆動回路、４：レンズシステム制御回路、５：レンズ、６：レンズ側通信部、１０：カメラ側通信部、１１：ＡＦセンサー、１２：ミラー、１３：フォーカシングスクリーン、１４：ペンタプリズム、１５：ＡＥセンサー、１６：アイピースユニット、１７：フォーカルプレーンシャッター、１８：光学フィルター、１９：圧電素子、２０：撮像素子、２１：ＡＭＰ回路、２２：Ａ／Ｄ変換回路、２３：画像処理回路、２４：液晶駆動回路、２５：液晶表示部、２６：バッファメモリ、２７：メモリコントローラ、２８：外部メモリ、２９：インターフェース、３０：ＡＣ電源部、３１：２次電池部、３２：タイミング制御回路、３３：電源種類検知回路、３４：電源状態検知回路、３５：電源制御回路、３６：シャッター制御回路、３７：光学フィルター振動制御回路、３８：不揮発性メモリ、３９：揮発性メモリ、４０：マイクロコンピュータ、４１：姿勢検知回路、７０：操作部
【図１】
2014126796.tif 000003
【図２】
2014126796.tif 000004
【図３】
2014126796.tif 000005
【図４】
2014126796.tif 000006
【図５】
2014126796.tif 000007
【図６】
2014126796.tif 000008
【図７】
2014126796.tif 000009
【図８】
2014126796.tif 000010